(57)【要約】      （修正有）【課題】機械室内の風路抵抗を低減する冷蔵庫を提供する。【解決手段】圧縮機５０及びファン１３を配した機械室１８を備える冷蔵庫であって、圧縮機５０は、機械室１８の正面視における面積に比して、機械室１８の側面視における面積の方が小さく、ファン１３は、圧縮機５０の側方に位置し、圧縮機５０のファン１３に対向する面は、機械室１８の正面視において、先細りとなるテーパ形状であり、かつ、テーパ形状は、複数の曲率を有する。【選択図】図３
2017009159.tif 000002
【特許請求の範囲】
【請求項１】
圧縮機及びファンを配した機械室を備える冷蔵庫であって、
前記圧縮機は、前記機械室の正面視における面積に比して、前記機械室の側面視における面積の方が小さく、
前記ファンは、前記圧縮機の側方に位置し、
前記圧縮機の前記ファンに対向する面は、前記機械室の正面視において、先細りとなるテーパ形状であり、かつ、該テーパ形状は、複数の曲率を有することを特徴とする冷蔵庫。
【請求項２】
前記テーパ形状の曲率は、前記圧縮機の最も外側の曲率が最も大きいことを特徴とする請求項１に記載の冷蔵庫。
【請求項３】
前記ファンに対向する面の一部に配管を取付け、該面の一部は、前記機械室の底面に略垂直であることを特徴とする請求項１又は２に記載の冷蔵庫。
【請求項４】
前記機械室は、前記圧縮機の側方に位置する２つの面それぞれに開口を有し、
前記圧縮機は、
ピストン及び複数の永久磁石を側方に並べて有し、
前記ピストンは、前記永久磁石に比して前記ファン側に位置することを特徴とする請求項１乃至３何れか一向に記載の冷蔵庫。
【請求項５】
前記圧縮機の上面は凹んで貯水部を形成しており、
前記ファンの中央の高さは、前記圧縮機の上下方向高さの半分より上側に位置することを特徴とする請求項１乃至４何れか一項に記載の冷蔵庫。
【発明の詳細な説明】
【技術分野】
【０００１】
本発明は、冷蔵庫に関する。
【背景技術】
【０００２】
冷蔵庫の機械室に設けたファンは、圧縮機等を冷却するために用いることができる。機械室容積を大きくすると、冷蔵庫の貯蔵室容量を小さくする原因になるため、機械室容積の増大を抑制しつつ圧縮機の冷却性を確保することが望まれる。冷却性を向上するには、例えば、機械室内の通風抵抗を低減することが挙げられる。
【０００３】
特許文献１は、水平方向にピストン１４やアクチュエータアセンブリ１７を並べたリニア圧縮機を開示している（００２０，図５）。
【先行技術文献】
【特許文献】
【０００４】
【特許文献１】特表２０１０−５２８２１５号公報
【発明の概要】
【発明が解決しようとする課題】
【０００５】
冷蔵庫機械室の通風抵抗を低減するためには、機械室内の部品の削除や小型化、または圧縮機の形状の変更が挙げられる。
【課題を解決するための手段】
【０００６】
上記事情に鑑みてなされた本発明は、圧縮機及びファンを配した機械室を備える冷蔵庫であって、前記圧縮機は、前記機械室の正面視における面積に比して、前記機械室の側面視における面積の方が小さく、前記ファンは、前記圧縮機の側方に位置し、前記圧縮機の前記ファンに対向する面は、前記機械室の正面視において、先細りとなるテーパ形状であり、かつ、該テーパ形状は、複数の曲率を有することを特徴とする。
【図面の簡単な説明】
【０００７】
【図１】実施例１の冷蔵庫本体の断面図
【図２】実施例１の圧縮機の概略図
【図３】実施例１の機械室内の正面図
【図４】実施例２の機械室に配した圧縮機を通る風の流れの概略図
【図５】実施例２の圧縮機の側面部形状の一例を示す図
【図６】実施例２の圧縮機の側面部形状の別の一例を示す図
【図７】実施例２の圧縮機の側面部形状のさらに別の一例を示す図
【図８】実施例３の機械室に配した圧縮機を通る風の流れの概略図
【発明を実施するための形態】
【０００８】
以下、本発明の実施例を添付の図面を参照しつつ説明する。同様の構成要素には同様の符号を付し、また、同一の説明は繰り返さない。
【実施例１】
【０００９】
図１は圧縮機が搭載された冷蔵庫１の断面図である。冷蔵庫１は、冷蔵室４、冷凍室５、野菜室６の開口を開閉可能な扉を前側に有しており、後側下方に圧縮機５０を備える機械室１８を有している。本実施例では、機械室１８上方には蒸発器７が位置しており、蒸発器７の霜が融解すると、樋を伝って圧縮機５０の上面に滴下する。
なお、機械室１８は、冷蔵庫１の後側上方に設けても良いし、凝縮器９等を格納しても良い。
【００１０】
図２は、機械室１８に配した圧縮機５０の概略図である。圧縮機５０は、シリンダ２２内を往復動するピストン２１をリニアモータ２３で駆動させる。リニアモータ２３は、コイルを巻回した磁性体の磁極２４と、可動子に並べて設けられた複数の永久磁石２５とを有している。コイルに通電することによって、磁極の端面を磁化できる。永久磁石２５は、磁極２４の端面に対向する面に極性を持っており、左右方向に複数並んでいる。それぞれの永久磁石２５は、板状の可動子に固定されている。コイルに印加する電流の極性の制御を通じて磁極２４の極性を制御し、永久磁石２５に左右方向の往復動力を与えることができる。
【００１１】
可動子の左方向端部にはシャフト２７の一端が、シャフト２７の他端にはピストン２１が接続されている。ピストン２１の前面はシリンダ２２内に挿入されている。コイルへの電流の制御を通じてピストン２１を往復動させることで、シリンダ２２内の冷媒の圧縮を行うことができる。
【００１２】
図３は機械室１８の正面図である。機械室１８は、左右方向に対向する２面それぞれに開口１５，１６を有しており、ファン１３は、開口１６に向かって送風するように配されている。すなわち、ファン１３は機械室の左右方向に向かう風を発する。
圧縮機５０は、可動子に対して永久磁石２５の配列方向の向きにシャフト２７及びピストン２１を接続しているため、永久磁石２５の配列方向に直交する２方向の寸法を、永久磁石２５の配列方向の寸法に比して小さくし易い。すなわち、機械室１８の側面視における圧縮機５０の面積は、機械室１８の正面視における圧縮機５０の面積より小さい。また、圧縮機５０の側面視における形状は、略長方形にできる。
【００１３】
このため、永久磁石２５の配列方向が左右方向に略平行になるように、機械室１８に圧縮機５０を配することで、機械室１８の内壁から圧縮機５０の外面までの空隙を、上下方向及び前後方向に関して大きくできる。したがって、通風抵抗を抑制し、ファン１３の送風効率を高めることができる。また、圧縮機５０は前後方向及び上下方向の寸法を抑制できるため、機械室１８の前後方向寸法や上下方向寸法を小さくすることができる。
【００１４】
なお、ピストンとシリンダの摺動による発熱を冷却すべく、ファン１３に近い側にピストン２１が、ファン１３に遠い側にリニアモータ２３が位置するように設けてもよい。
【実施例２】
【００１５】
実施例２は、以下の点を除き実施例１と同様に構成できる。
図４は、機械室１８の正面視における圧縮機５１及びファン１３の関係を示す図である。圧縮機５１の右側にファン１３を配している。圧縮機５１は、ファン１３に対向し、かつファン１３に近い面（右面）をファン１３に向かって先細りとなるテーパ状にしてあるため、更に風路抵抗を小さくすることができる。また、ファン１３に対向し、かつファン１３に遠い面（左面）をファン１３に離れる方向に向かって先細りとなるテーパ状にしてもよい。
【００１６】
また、図５（ａ）に例示するように、圧縮機５１を略円筒形状にする場合は、右面を例えば略半球状、略卵型又は略砲弾形状にすることができる。この際、左面は、図５（ａ）のように右面と同様に構成しても良いし、図５（ｂ）に例示するように左右方向に略垂直な端面にしても良い。
【００１７】
図５に示す略砲弾形状は、図５（ｃ）に例示するように、側面視において、砲弾部Ａの円弧部を複数の略円弧（例えば、２つの曲率Ｒ１，Ｒ２で、Ｒ１＞Ｒ２）の組合せで構成し、各略円弧部のうち左右端部の曲率を最も大きくすると好ましい。すなわち、圧縮機５１の側面視において、左右方向の最も外側の曲率を、それより内側の曲率より大きくできる。これにより、図５（ｄ）に例示するような１つの略円弧のみで構成する場合に比べて、圧縮機の高さ方向の大きさＨを小さくしつつ、ファン１３の送風効率を高めた圧縮機端部形状とすることができる。
【００１８】
また、図６（ａ）に例示するように、圧縮機５１を箱状、例えば直方体状にする場合は、右面を例えば側面断面形状が弧状、例えば略円弧状になるようにできる。この際、左面は、図６（ａ）のように右面と同様に構成しても良いし、図６（ｂ）に例示するように左右方向に略垂直な端面にしても良い。
【００１９】
また、図７（ａ）に例示するように、圧縮機５１の右面に傾斜を設けても良い。この際、圧縮機５１の右面の下端側又は上端側は、図７（ｂ）に例示するように、左右方向に略垂直（機械室１８の底面に略垂直）とし配管取り付け部とすることで、傾斜部に配管を取り付ける場合よりも、配管取り付け部の穴加工や溶接を容易に行え、加工性を向上できる。
【実施例３】
【００２０】
実施例３の構成は、以下の点を除き実施例１，２と同様にできる。
本実施例の圧縮機５２は、図８に例示するように、圧縮機５１の上面に凹部（貯水部６０）を設けて、樋を伝って滴下する水を受けることができる。これにより、圧縮機上方に蒸発皿を設ける必要性を低減でき、更なる通風抵抗の抑制が可能である。この際、ピストン２１及び永久磁石２５は、左右方向に並んでいるため、上下方向の寸法を抑制しやすい。すなわち、回転式モータ及びクランク機構を利用する圧縮機に比して、リニアモータ２３を利用する本実施例の圧縮機５０の方が、上面を凹ませるだけの余裕を持たせることが容易である。
【００２１】
図８（ａ）に示すように、圧縮機５２の上下方向高さの半分の位置にファン１３の中央が位置しても良いし、図８（ｂ）に示すように、それより上側、例えば貯水部６０と略同じ高さ又はそれより上側に位置しても良い。ファン１３は、図８に示すように左右方向に略平行に風を発するように設けられても良いし、下側に、例えば５°以上傾くように設けられても良い。このようにファン１３の位置を設定することで、貯水部６０内の水をより効果的に蒸発させることができる。
【符号の説明】
【００２２】
１・・・冷蔵庫本体
４・・・冷蔵室
５・・・冷凍室
６・・・野菜室
９・・・凝縮器
１３・・・送風ファン
１５・・・開口
１６・・・開口
１７・・・配管
１８・・・機械室
２０・・・クランクシャフト
２１・・・ピストン
２２・・・シリンダ
２３・・・リニアモータ
２４・・・磁極
２５・・・永久磁石
２７・・・シャフト
５０，５１，５２・・・圧縮機
６０・・・貯水部
【図１】
2017009159.tif 000003
【図２】
2017009159.tif 000004
【図３】
2017009159.tif 000005
【図４】
2017009159.tif 000006
【図５】
2017009159.tif 000007
【図６】
2017009159.tif 000008
【図７】
2017009159.tif 000009
【図８】
2017009159.tif 000010